【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】  通信ネットワークへ送信要求メッセージを送信する移動ユーザ装置ユニットを操作する方法であって、
受信エネルギー対干渉比の目標値を取得するステップと、
前記送信要求メッセージのための送信電力を、受信エネルギー対干渉比の前記目標値及び修正係数とを用いて求めるステップを有し、
前記修正係数が受信エネルギー対干渉比の目標値と、前記通信ネットワークによって求められた受信エネルギー対干渉比の実値との差であることを特徴とする方法。
【請求項２】  前記通信ネットワークによって求められた受信エネルギー対干渉比の実値を取得するステップをさらに有することを特徴とする請求項１記載の方法。
【請求項３】  前記修正係数を前記移動ユーザ装置ユニットで求めることを特徴とする請求項１又は請求項２記載の方法。
【請求項４】  差の集合の平均を取ることによって前記修正係数を求めるステップをさらに有し、前記差の各々が、受信エネルギー対干渉比の目標値と、前記通信ネットワークによって求められた受信エネルギー対干渉比の実値との差であることを特徴とする請求項１又は請求項２記載の方法。
【請求項５】  前記集合の複数の差を、対応する複数の過去の接続要求メッセージに関してまとめるステップをさらに有することを特徴とする請求項４記載の方法。
【請求項６】  前記接続要求メッセージのための前記送信電力値を求めるステップが、以下の式を評価するステップを含むことを特徴とする請求項１又は請求項２記載の方法。
ＰRACH＝ＣRACH＋（Ｅb／Ｉo）ADPTED TARGET＋ＩUL＋Ｐperch_sent−Ｐperch_meas
ここで、
ＰRACHは前記オンボードユニットによって算出される、前記接続要求メッセージ用の送信電力、
ＣRACHは速度、チャネルコーディング及び搬送波帯域幅に依存する定数、
ＩULは通信ネットワークで求められるアップリンク干渉、
Ｐperch_sentは報知チャネルに用いられるダウンリンク出力電力、
Ｐperch_measは前記ユーザ装置ユニットで測定される報知チャネル受信電力、
（Ｅb／Ｉo）ADPTED TARGETは前記接続要求メッセージに対するＥb／Ｉoについての適応的目標値である。
【請求項７】  前記通信ネットワークによって指定された（Ｅb／Ｉo）RACH_target及び前記修正係数を用いて（Ｅb／Ｉo）ADPTED TARGETを求めるステップをさらに有することを特徴とする請求項６記載の方法。
【請求項８】  前記修正係数を前記移動ユーザ装置ユニットで求めるステップをさらに有することを特徴とする請求項７記載の方法。
【請求項９】  前記修正係数を差の集合の平均として得るステップをさらに有し、前記差の各々が、受信エネルギー対干渉比の目標値と、前記通信ネットワークによって求められた受信エネルギー対干渉比の実値との差であることを特徴とする請求項８記載の方法。
【請求項１０】  前記集合の複数の差を、対応する複数の過去の接続要求メッセージに関してまとめるステップをさらに有することを特徴とする請求項９記載の方法。
【請求項１１】  前記接続要求メッセージのための送信電力を前記移動ユーザ装置ユニットで求めるステップをさらに有することを特徴とする請求項１記載の方法。
【請求項１２】  前記通信ネットワークによって求められた受信エネルギー対干渉比の実値を、前記通信ネットワークから送信されるアクセス許可メッセージから取得するステップをさらに有することを特徴とする請求項２記載の方法。
【請求項１３】  通信ネットワークへの接続要求メッセージのための送信電力を算出するオンボードユニットを有する移動ユーザ装置ユニットであって、前記オンボードユニットが、前記送信電力を、受信エネルギー対干渉比の目標値及び修正係数とを用いて算出するとともに、前記修正係数が、受信エネルギー対干渉比の前記目標値と、前記通信ネットワークによって求められた受信エネルギー対干渉比の実値との差であることを特徴とする移動ユーザ装置ユニット。
【請求項１４】  前記修正係数が差の集合の平均であり、前記集合の各差が、受信エネルギー対干渉比の目標値と、前記通信ネットワークによって判定された受信エネルギー対干渉比の実値との差であることを特徴とする請求項１３記載の装置。
【請求項１５】  前記差の集合が複数の過去の接続要求メッセージに関してまとめられていることを特徴とする請求項１４記載の装置。
【請求項１６】  前記ユーザ装置ユニットが、前記ユーザ装置ユニットについての送信電力履歴情報を格納するメモリを含み、前記オンボードユニットが通信ネットワークへの接続要求メッセージ生成時に用いるべき前記送信電力の前記算出に前記送信電力履歴情報を用いることを特徴とする請求項１３記載の装置。
【請求項１７】  前記メモリが時系列的にまとめられた差の集合を格納し、前記差が受信エネルギー対干渉比の目標値と、前記通信ネットワークによって求められた受信エネルギー対干渉比の実値との差であることを特徴とする請求項１６記載の装置。
【請求項１８】  前記メモリがＦＩＦＯレジスタであり、前記オンボードユニットが、前記ＦＩＦＯレジスタに格納された前記時系列的にまとめられた差の平均値を、通信ネットワークへの前記接続要求メッセージの生成時に用いるべき送信電力の前記算出に用いることを特徴とする請求項１７記載の装置。
【請求項１９】  受信エネルギー対干渉比の前記目標値及び前記通信ネットワークによって求められた受信エネルギー対干渉比の前記実値の少なくとも１つが、前記通信ネットワークから前記ユーザ装置ユニットへ送信されることを特徴とする請求項１８記載の装置。
【請求項２０】  受信エネルギー対干渉比の前記目標値及び前記通信ネットワークによって求められた受信エネルギー対干渉比の前記実値の両方が、前記通信ネットワークから前記ユーザ装置ユニットへ送信されることを特徴とする請求項１８記載の装置。
【請求項２１】  前記通信ネットワークによって求められた受信エネルギー対干渉比の前記実値が、アクセス許可メッセージ中で前記通信ネットワークから前記ユーザ装置ユニットへ送信されることを特徴とする請求項２０記載の装置。
【請求項２２】  通信ネットワークへの接続要求メッセージのための送信電力を、差の集合を用いて算出するオンボードユニットを有する移動ユーザ装置ユニットであって、前記差の各々が、受信エネルギー対干渉比の目標値と、前記通信ネットワークによって求められた受信エネルギー対干渉比の実値との差であることを特徴とする移動ユーザ装置ユニット。
【請求項２３】  前記オンボードユニットがメモリを備えるとともに、前記オンボードユニットが、前記メモリに格納された前記差の平均値を、通信ネットワークへの接続要求メッセージ生成時に用いるべき前記送信電力の前記算出に用いることを特徴とする請求項２２記載の装置。
【請求項２４】  前記メモリがＦＩＦＯレジスタであることを特徴とする請求項２３記載の装置。
【請求項２５】  受信エネルギー対干渉比の前記目標値及び前記通信ネットワークによって求められた受信エネルギー対干渉比の前記実値の少なくとも１つが、前記通信ネットワークから前記ユーザ装置ユニットへ送信されることを特徴とする請求項２２記載の装置。
【請求項２６】  受信エネルギー対干渉比の前記目標値及び前記通信ネットワークによって求められた受信エネルギー対干渉比の前記実値の両方が、前記通信ネットワークから前記ユーザ装置ユニットへ送信されることを特徴とする請求項２２記載の装置。
【請求項２７】  前記通信ネットワークによって求められた受信エネルギー対干渉比の前記実値が、アクセス許可メッセージ中で前記通信ネットワークから前記ユーザ装置ユニットへ送信されることを特徴とする請求項２５記載の装置。
【請求項２８】  受信エネルギー対干渉比の前記目標値が、報知チャネルメッセージ中で前記通信ネットワークから前記ユーザ装置ユニットへ送信されることを特徴とする請求項２５記載の装置。
【請求項２９】  前記ユーザ装置ユニットが、前記差の集合を格納するメモリを含み、前記オンボードユニットが、通信ネットワークへの接続要求メッセージ生成時に用いるべき前記送信電力の前記算出に前記差の集合を用いることを特徴とする請求項２２記載の装置。
【請求項３０】  前記オンボードユニットが、通信ネットワークへの接続要求メッセージ生成時に用いるべき前記送信電力の前記算出に、前記メモリに格納された差の平均値を用いることを特徴とする請求項２９記載の装置。